(57)【特許請求の範囲】
【請求項１】
制御基板と、該制御基板面に搭載されるＲＯＭと、該ＲＯＭを包囲するために該制御基板面に係止されるＲＯＭカバーと、前記ＲＯＭカバーの一部と前記制御基板の一部との間に形成される空間内に収容される液体と、を備え、
前記ＲＯＭカバーを前記制御基板から取り外した場合に、前記液体が前記空間外へ漏出するように構成し、
前記空間は、前記制御基板面に設けた突起と、前記ＲＯＭカバーに設けられて前記突起を嵌合する凹所との間に形成されることを特徴とするＲＯＭ保護構造。
【請求項２】
制御基板と、該制御基板面に搭載されるＲＯＭと、該ＲＯＭを包囲するために該制御基板面に係止されるＲＯＭカバーと、前記ＲＯＭカバーの一部と前記制御基板の一部との間に形成される空間内に収容される液体と、を備え、
前記ＲＯＭカバーを前記制御基板から取り外した場合に、前記液体が前記空間外へ漏出するように構成し、
前記空間は、前記制御基板面に設けた凹所と、前記ＲＯＭカバーに設けられて前記凹所内に嵌合する突起との間に形成されることを特徴とするＲＯＭ保護構造。
【請求項３】
前記凹所内には前記液体を封入するための封止蓋が配置されており、前記凹所内に嵌合した前記突起により前記封止蓋が破壊されると共に、該突起によって前記空間からの液体の漏出を防止するように構成され、該突起が前記凹所から離脱することにより前記液体が外部に漏出することを特徴とする請求項１、又は２に記載のＲＯＭ保護構造。
【請求項４】
前記凹所内には前記液体を封入した容器が嵌合配置されており、前記凹所内に嵌合した前記突起により前記容器の一部が破壊されると共に、該突起によって前記容器からの液体の漏出を防止するように構成され、該突起が前記凹所から離脱することにより前記液体が外部に漏出することを特徴とする請求項１、又は２に記載のＲＯＭ保護構造。
【請求項５】
前記空間内、又は前記容器内に保水性を有した保水部材を収容したことを特徴とする請求項１乃至４の何れか一項に記載のＲＯＭ保護構造。
【請求項６】
前記ＲＯＭカバーを前記制御基板から取り外した場合に、前記ＲＯＭカバーの一部、又は前記制御基板の一部が破損するように構成したことを特徴とする請求項１乃至５の何れか一項に記載のＲＯＭ保護構造。
【請求項７】
前記液体は、波長域が３１５ｎｍ〜４００ｎｍであるブラックライトにより発光する蛍光物質を含んでいることを特徴とする請求項１乃至６の何れか一項に記載のＲＯＭ保護構造。
【請求項８】
請求項１乃至７の何れか一項に記載のＲＯＭ保護構造を備えたことを特徴とする遊技機。
【発明の詳細な説明】
【技術分野】
【０００１】
本発明は、パチンコ遊技機、スロットマシン等の各種遊技機に搭載されるＲＯＭが不正に取り換えられた場合に当該不正行為を確実に発見し、効果的に予防することができるＲＯＭ保護構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、痕跡の存在を手掛かりとしてＲＯＭが交換されたことを遊技場側が察知できるということは、不正行為者も十分に熟知しているため、不正行為を察知された可能性がある時期以降は当該遊技場での遊技を差し控える筈であり、不正行為者の特定、逮捕へと結びつけることはできない。
特許文献２にも不正防止のための装置構成が開示されているが、特許文献１の場合と同様に不正行為が行われた証拠を確保することはできるが、不正行為者を特定して逮捕する契機とはなりにくい。
【特許文献１】特開２００６−１３０３５２公報
【特許文献２】特開２００７−１６０００４公報
【発明の開示】
【発明が解決しようとする課題】
【０００３】
本発明は上記に鑑みてなされたものであり、制御基板上のＲＯＭが不正に交換された場合に不正行為者に知り得ない痕跡を残すことにより、不正行為が遊技場側に発覚していることを不正行為者に察知されないようにしたＲＯＭ保護構造、及び遊技機を提供することを目的としている。
また、不正行為を行った時点でその痕跡が残ったことを行為者に知らしめることにより、更なる不正行為の継続を断念させることができる技術を提供するものである。
【課題を解決するための手段】
【０００４】
上記目的を達成するため、本発明は、制御基板と、該制御基板面に搭載されるＲＯＭと、該ＲＯＭを包囲するために該制御基板面に係止されるＲＯＭカバーと、前記ＲＯＭカバーの一部と前記制御基板の一部との間に形成される空間内に収容される液体と、を備え、前記ＲＯＭカバーを前記制御基板から取り外した場合に、前記液体が前記空間外へ漏出するように構成したことを特徴とする。
制御基板上のＲＯＭ上に、ＲＯＭカバーを被せておき、ＲＯＭカバーを取り外してＲＯＭを交換するなどの不正行為が行われた場合には液体が漏出するように構成したので、漏出した液体が痕跡となり、遊技場側では不正行為が行われたことを知ることができる。特に、行為者に察知されない程度に液体の量を少なくしたり、透明な液体とすることにより、行為者は不正行為が発覚しないものと誤解するので、その後当該遊技機が利用されたときに行為者を特定することが可能となる。
本発明は、前記空間は、前記制御基板面に設けた突起と、前記ＲＯＭカバーに設けられて前記突起を嵌合する凹所との間に形成されることを特徴とする。
制御基板側に液体を配置することを憚る場合には、ＲＯＭカバー側に設けた凹所内に液体を収容する。
本発明は、前記空間は、前記制御基板面に設けた凹所と、前記ＲＯＭカバーに設けられて前記凹所内に嵌合する突起との間に形成されることを特徴とする。
制御基板側に液体を収容しても差し支えない場合にはこのように構成してもよい。
【０００５】
本発明は、前記凹所内には前記液体を封入するための封止蓋が配置されており、前記凹所内に嵌合した前記突起により前記封止蓋が破壊されると共に、該突起によって前記空間からの液体の漏出を防止するように構成され、該突起が前記凹所から離脱することにより前記液体が外部に漏出することを特徴とする。
凹所内に収容した液体はＲＯＭカバー装着前においては封止蓋により流出が防止されているため、ＲＯＭカバーの取扱性が高まる一方で、ＲＯＭカバーを制御基板に取り付けた場合には突起により封止蓋が破壊、穿孔される。しかし、突起が封止蓋に代えて蓋として機能するので、液体は流出しない。ＲＯＭカバーを取り外すことによって初めて液体がＲＯＭカバー外へ流出、漏出して周辺に付着し、不正行為の痕跡を残す。
本発明は、前記凹所内には前記液体を封入した容器が嵌合配置されており、前記凹所内に嵌合した前記突起により前記容器の一部が破壊されると共に、該突起によって前記容器からの液体の漏出を防止するように構成され、該突起が前記凹所から離脱することにより前記液体が外部に漏出することを特徴とする。
凹所内に収容した液体はＲＯＭカバー装着前においては封止蓋により流出が防止されているため、制御基板の取扱性が高まる一方で、ＲＯＭカバーを制御基板に取り付けた場合には突起により封止蓋が破壊、穿孔される。しかし、突起が封止蓋に代えて蓋として機能するので、液体は流出しない。ＲＯＭカバーを取り外すことによって初めて液体が制御基板外へ流出、漏出して周辺に付着し、不正行為の痕跡を残す。
【０００６】
本発明は、前記空間内、又は前記容器内に保水性を有した保水部材を収容したことを特徴とする。
ＲＯＭカバーを取り外した時に漏出する液体の量を制限することにより、不正行為者に液体の漏出を察知されないようにすることができる。
本発明は、前記ＲＯＭカバーを前記制御基板から取り外した場合に、前記ＲＯＭカバーの一部、又は前記制御基板の一部が破損するように構成したことを特徴とする。
ＲＯＭカバーを一旦取り外すと、完全に再装着することができなくなるため、不正行為の痕跡を得ることができる。
本発明は、前記液体は、波長域が３１５ｎｍ〜４００ｎｍであるブラックライトにより発光する蛍光物質を含んでいることを特徴とする。
不正行為者が漏出に気づかない程度の微量の液体であっても、ブラックライトに反応して発光する蛍光物質を含ませておくことにより、遊技場側は不正行為が行われたことを容易に知ることができる。
本発明は、前記ＲＯＭ保護構造を備えたことを特徴とする。
【発明の効果】
【０００７】
以上のように本発明では、空間外へ漏出する液体の量を不正行為者に気づかれない程度の微量とするか、或いは視認されにくい透明な液体とすることにより、不正にＲＯＭカバーをこじ開けてＲＯＭを交換した後にＲＯＭカバーを元の状態に戻したとしても、不正行為者はＲＯＭを交換した痕跡が残っていることに気づかない。一方、遊技場側では、ＲＯＭカバー、ＲＯＭ、或いはその周辺の制御基板面に付着した液体の存在を確認することにより不正行為が行われたことを知ることができる。このため、後日ＲＯＭを交換した遊技機を利用しに来た者をマークし、不正行為者を特定して逮捕に結びつけることができる。また、遊技場側では、ＲＯＭ交換が行われた形跡のある遊技機を使用禁止とすることにより、当該遊技機を利用した不正行為を防止し、損失の発生を予防することができる。
また、不正行為者がＲＯＭカバーを取り外した時に液体の漏出に気づくように構成してもよく、この場合には不正行為を抑止することができる。
【発明を実施するための最良の形態】
【０００８】
以下、本発明を図面に示した実施の形態により詳細に説明する。
パチンコ遊技機は、パチンコ遊技機本体の正面に配置されて各種盤面部品を搭載する板部材としての遊技盤と、この遊技盤を内側に着脱自在に支持する矩形環状の遊技盤取付け枠と、この遊技盤取付け枠の一側端縁に対して開閉自在に軸支されて遊技盤の前面を覆うガラス扉枠と、を備えている。また、遊技盤の裏面には、液晶画面、主制御基板とサブ制御基板等、遊技の進行、演出に関わる裏部品を組み付けた合成樹脂製の機構板が開閉自在に装着されている。
主制御基板にはパチンコ遊技機の作動内容を制御するためのプログラムを格納したＲＯＭが搭載されている。
【０００９】
図１（ａ）及び（ｂ）は主制御基板面に搭載された電子部品としてのＲＯＭを保護する構造を示した平面図、及びＡ−Ａ断面図である。
本発明のＲＯＭ保護構造は、主制御基板（制御基板）１と、主制御基板１の面上に搭載されるＲＯＭ１０と、ＲＯＭ１０を包囲するために制御基板面に係止されるＲＯＭカバー２０と、ＲＯＭカバー２０の一部と制御基板の一部との間に形成される空間Ｓ内に収容される液体Ｌと、を備えており、ＲＯＭカバー２０を主制御基板１から取り外した場合に液体Ｌが空間Ｓ外へ漏出するようにした構成が特徴的である。
【００１０】
図２（ａ）（ｂ）及び（ｃ）は図１（ｂ）の要部拡大図である。
本実施形態においては、液体Ｌを収容するための空間Ｓは、主制御基板１の一部としての突起２と、ＲＯＭカバー２０の一部としての凹所２３との間に形成される。即ち、本例では、主制御基板１の表面には４本の突起２が四角形を描くように突設されている。突起２は、主制御基板と予め一体的に形成されてもよいし、後付けされてもよい。
ＲＯＭカバー２０は、基板上のＲＯＭ１０の表面を覆う透明な矩形の天板２１と、天板２１の外周から突設された外周壁２２と、から構成される下面が開放した箱体であり、外周壁２２の四隅下面には主制御基板から突設された４本の突起２を夫々嵌合する凹所２３が形成されている。外周壁２２は透明な材料から構成する。
図２（ａ）に示すように凹所２３内には、液体Ｌを封入するための封止蓋２４が固定配置されており、（ｂ）に示すように凹所２３内に突起２を嵌合させたときに突起２の先端部により封止蓋２４を押圧して破壊、穿孔すると同時に、突起２による封止効果によって空間Ｓからの液体Ｌの漏出を防止するように構成されている。一方、図２（ｃ）に示すようにＲＯＭカバー２０を主制御基板上から取り外すことにより突起２を凹所２３から離脱させた際に、液体Ｌを空間の外部に漏出（流出、放出、飛散）させるように構成されている。
【００１１】
封止蓋２４は、ＲＯＭカバーを主制御基板に取り付ける前の段階では凹所２３を確実に封止して液体の漏出を確実防止する一方で、突起２により押圧されたときに破壊、或いは穿孔され易い樹脂シート等により構成されており、この例では凹所２３内壁に設けた段差部２３ａにより封止蓋２４の外周縁を接着保持することにより液体Ｌを気密封止している。凹所２３の内壁であって封止蓋２４よりも外側位置には、Ｏリング等のパッキン２５を配置して嵌合された突起２と凹所内壁との間の気密性を確保している。
突起２の先端部は封止蓋２４を破壊したり、穿孔し易いように尖らせるのが好ましい。
凹所２３から突起２が抜き取られた時には図２（ｃ）のように空所Ｓ内の液体Ｌが基板側に流出する。
液体Ｌは透明な液体とし、且つ漏出量を微量に制限することにより、ＲＯＭカバーの開放により漏出したときにＲＯＭの周辺に展開したことを不正行為者に気づかれないように工夫する。液体Ｌは水性であってもよいし、油性であってもよい。具体的には例えば、空間Ｓ内にスポンジの如き保水性を有した多孔質材等（保水部材）を充填しておき、ＲＯＭカバーを取り外した時に多量の液体が漏出しないように構成してもよい。このことは、以下の全ての実施形態に当てはまる。
【００１２】
また、液体Ｌ中に、波長域が３１５ｎｍ〜４００ｎｍの範囲であるブラックライトにより発光する蛍光物質を含ませることにより、不正行為者がＲＯＭ交換後にＲＯＭカバーを再装着したとしても、遊技場側はブラックライトを用いてＲＯＭ周辺を照射することにより不正行為が行われた形跡を発見することができる。
このように構成することにより、不正行為者は遊技場側に不正行為が発覚していないものと誤解するため、不正行為者、或いはそのメンバーがＲＯＭを交換した遊技機を利用する際に、不正行為者として絞り込みを行い、犯人を特定することができる。
なお、液体Ｌとして目視可能に着色された水溶液、塗料等を用いれば、不正行為者にも犯行が遊技場側に発覚し得ることが判るが、犯行の抑止力となる。
なお、不正行為者がＲＯＭカバー２０により包囲されたＲＯＭ１０を交換するためには、ＲＯＭカバー２０を外す以外に方法が存在しないようにＲＯＭカバー２０を構成しておく必要がある。即ち、ＲＯＭカバーの天板２１を破壊した場合にはその痕跡が残るため、ＲＯＭカバーを取り外す以外にＲＯＭを交換する方法が存在しない。
なお、上記実施形態では円筒状の突起２、及び凹所２３を４箇所設けたが、配置箇所、個数、形状は任意である。従って、例えば突起２、及び凹所２３の平面形状を長方形状としたり、楕円形状とする等、種々のバリエーションが可能である。
【００１３】
次に、図３は本発明の他の実施形態に係るＲＯＭ保護構造を示す図であり、凹所２３内には液体Ｌを封入した容器３０が嵌合配置されており、凹所内に突起２を嵌合させた際に容器３０の一部が破壊されるように構成されている。更に、凹所２３内に嵌合された突起２は、容器の破壊された部位からの液体の漏出を防止する封止効果を発揮するように構成されている。そして、ＲＯＭカバー２０を主制御基板から取り外して突起２を凹所から離脱させることにより液体が外部に漏出するように構成している。
この構成によれば、凹所２３内に別体構成の容器３０を装着するだけで、液体Ｌの充填が完了するのでＲＯＭカバーの製造が容易となる。
容器３０内に保水性を有した多孔質材等（保水部材）を充填しておき、突起２によって容器を破壊した時に漏出する液体量をコントロールするようにしてもよい。
【００１４】
次に、図４は本発明の他の実施形態であり、本実施形態では、空間Ｓは、制御基板１の表面に設けた凹所３と、凹所３内に嵌合するＲＯＭカバー２０の外周壁２２との間に形成される。外周壁２２は突起２６を構成している。
図４（ａ）に示すように凹所３内には、液体Ｌを封入するための封止蓋４が固定配置されており、図４（ｂ）に示すように凹所３内に突起２６を嵌合させたときに突起２６の先端部により封止蓋４を押圧して破壊、穿孔すると同時に、突起２６による封止効果によって空間Ｓからの液体Ｌの漏出を防止するように構成されている。一方、図４（ｃ）に示すようにＲＯＭカバー２０を主制御基板上から取り外すことにより突起２６を凹所３から離脱させた際に、液体Ｌを空間の外部に漏出させるように構成されている。
なお、本例の凹所３は、主制御基板面に突設した突部の上端面に形成されているが、平坦な基板面に直接形成された凹所であってもよい。
【００１５】
封止蓋４は突起２６により押圧されたときに破壊、或いは穿孔され易い樹脂シート等により構成されており、この例では凹所３内壁に設けた段差部３ａにより封止蓋４の外周縁を接着保持することにより液体Ｌを気密封止している。突起２６の外周面に設けた環状溝内にＯリング等のパッキン５を配置して嵌合された凹所３の内壁との間の気密性を確保している。
凹所３から突起２６が抜き取られた時には図４（ｃ）のように空所Ｓ内の液体Ｌが基板側に流出する。
前述のように、液体Ｌは透明な液体とし、且つ漏出量（流出量）が微量となるように制限することにより、ＲＯＭカバーの開放により漏出したときにＲＯＭの周辺に展開したことを不正行為者に気づかれないように工夫する。
【００１６】
また、液体Ｌ中に、波長域が３１５ｎｍ〜４００ｎｍであるブラックライトにより発光する蛍光物質を含ませることにより、不正行為者がＲＯＭ交換後にＲＯＭカバーを再装着したとしても、遊技場側はブラックライトを用いてＲＯＭ周辺を照射することにより不正行為が行われた形跡を発見することができる。
このように構成することにより、不正行為者は遊技場側に不正行為が発覚していないものと誤解するため、不正行為者、或いはそのメンバーがＲＯＭを交換した遊技機を利用する者を不正行為者として絞り込み、特定することができる。
なお、液体Ｌとして目視可能に着色された水溶液、塗料等を用いれば、不正行為者にも犯行が遊技場側に発覚し得ることが判るが、犯行の抑止力となる。
【００１７】
図５（ａ）（ｂ）及び（ｃ）は本発明の他の実施形態に係るＲＯＭ保護構造の要部構成を示す断面図であり、（ａ）はＲＯＭカバー装着前、（ｂ）は装着後、（ｃ）は離脱後の状態を示している。
この実施形態のＲＯＭ保護構造は、主制御基板１側の突起２の外面に楔状の係止爪６を設ける一方で、ＲＯＭカバー２０側の凹所２３内壁にこの係止爪６を係着させる溝部２３ｂを設けている。図５（ａ）の装着前状態から（ｂ）のように突起２に対して凹所２３を嵌合させた際には係止爪６が溝部２３ｂ内に係着してＲＯＭカバーの抜け落ちを阻止する一方で、（ｃ）のようにＲＯＭカバーが不正に取り外された際には係止爪６が破損する。このため、不正行為者がＲＯＭを交換した後でＲＯＭカバーを再装着した場合にはＲＯＭカバーは係止爪によって係止されていないため主制御基板から容易に脱落し易い状態となっているため、遊技場側の担当者がＲＯＭカバーの装着状態を外観から判断したり、或いはＲＯＭカバーに手で触れるだけで不正行為の有無を知ることができる。
【００１８】
係止爪６は連続した環状の突部である必要はなく突起２の外周面に部分的に設けた突部であればよい。
上記実施形態とは逆に、係止爪を凹所内壁に設け、溝部を突起外周面に設けても良い。
この実施形態に係る構成は、図４に示した実施形態にも適用することができる。
このように本実施形態では、ＲＯＭカバー２０を主制御基板１から取り外した場合に、ＲＯＭカバー２０の一部、又は主制御基板１の一部が破損するように構成したので、ＲＯＭカバーの再装着が困難となり、不正行為の存在を容易に確認することができる。
また、図５の実施形態に係る係止爪と溝部から成る係止構造を、図２、図３、図４に示した液体Ｌを利用した不正行為防止のための構成に適用してもよい。仮に、不正行為者が何らかの手段を利用してＲＯＭカバーを開放しても液体が漏れないように工夫した場合であっても、ＲＯＭカバーを開放したときに係止爪が破損して再装着が不可能となるように構成すれば、不正行為を予防することができる。
【００１９】
以上のように本発明では、ＲＯＭカバー或いは制御基板に設けた凹所内に収容した液体はＲＯＭカバー装着前においては封止蓋により流出が防止されているため、ＲＯＭカバー或いは制御基板の取扱性が高まる一方で、ＲＯＭカバーを制御基板に取り付けた場合には突起により封止蓋が破壊、穿孔される。しかし、突起が封止蓋に代えて蓋として機能するので、液体は流出しない。ＲＯＭカバーを取り外すことによって初めて液体がＲＯＭカバー外へ流出、漏出して周辺に付着し、不正行為の痕跡を残す。
空間Ｓ外へ漏出する液体Ｌの量を不正行為者に気づかれない程度の微量とするか、或いは視認されにくい透明な液体とすることにより、不正にＲＯＭカバーをこじ開けてＲＯＭを交換した後にＲＯＭカバーを元の状態に戻したとしても、不正行為者はＲＯＭを交換した痕跡が残っていることに気づかない。一方、遊技場側では、ＲＯＭカバー、ＲＯＭ、或いはその周辺の制御基板面に付着した液体の存在を確認することにより不正行為が行われたことを知ることができる。このため、後日ＲＯＭを交換した遊技機を利用しに来た者をマークし、不正行為者を特定して逮捕に結びつけることができる。また、遊技場側では、ＲＯＭ交換が行われた形跡のある遊技機を使用禁止とすることにより、当該遊技機を利用した不正行為を防止し、損失の発生を予防することができる。
【００２０】
このような液体としては、例えば波長域が３１５ｎｍ〜４００ｎｍであるブラックライトにより発光する蛍光物質を含んだ水溶液等を用いることにより、不正行為の発見が容易となる。即ち、遊技場の始業時、或いは終業時に数百台設置された遊技機の状態を従業員がチェックするために、遊技盤を含んだ遊技機本体を一側端に設けたヒンジを中心として前方へ開放して背面にある主制御基板を確認するが、この際にブラックライトをＲＯＭ周辺に照射して液体を発光させることにより漏出の存在を確認することができ、不正行為の有無を容易に知ることができるので、確認作業を短時間で完了することができる。特に、ＲＯＭは小さい部品であるため目視により異常の有無を確認することは容易でないが、ブラックライトにより発光する液体を手掛かりにした不正行為の発見は極めて容易である。
なお、着色液等のように不正行為者が液体の漏出を認識でき、しかもＲＯＭカバー等に一旦付着した場合には容易に除去できない液体を使用してもよいが、この場合には不正行為者はＲＯＭ交換が遊技場側に発覚し得ることを知ることができるので、犯罪の抑止力となる。
不正行為者が何らかの手段を利用してＲＯＭカバーを開放しても液体が漏れないように工夫した場合であっても、ＲＯＭカバーを開放したときに係止爪が破損して再装着が困難化するように構成すればそのような行為にも対応することができる。
また、漏出した液がＲＯＭの端子などに付着するように構成することにより、端子と基板側との接続部に短絡を起こさせて不正行為の存在を知るようにしてもよい。
また、制御基板側に突起や凹所を予め形成することが難しい場合には、制御基板に設けた穴や凹所内に別部材としての突起等を嵌合して固定すればよい。
【図面の簡単な説明】
【００２１】
【図１】（ａ）及び（ｂ）は主制御基板面に搭載された電子部品としてのＲＯＭを保護する構造を示した平面図、及びＡ−Ａ断面図である。
【図２】（ａ）（ｂ）及び（ｃ）は図１（ｂ）の要部拡大断面図である。
【図３】本発明の他の実施形態の要部構成を示す断面図である。
【図４】（ａ）（ｂ）及び（ｃ）は本発明の他の実施形態の構成及び操作手順を示す要部断面図である。
【図５】（ａ）（ｂ）及び（ｃ）は本発明の他の実施形態に係るＲＯＭ保護構造の要部構成を示す断面図であり、（ａ）はＲＯＭカバー装着前、（ｂ）は装着後、（ｃ）は離脱後の状態を示した図である。
【符号の説明】
【００２２】
１…主制御基板（制御基板）、２…突起、３…凹所、３ａ…段差部、４…封止蓋、５…パッキン、６…係止爪、１０…ＲＯＭ、２０…ＲＯＭカバー、２１…天板、２２…外周壁、２３…凹所、２３…溝部、２３ａ…段差部、２３ｂ…溝部、２４…封止蓋、２５…パッキン、２６…突起、３０…容器
【図１】
0004769845.tif 000002
【図２】
0004769845.tif 000003
【図３】
0004769845.tif 000004
【図４】
0004769845.tif 000005
【図５】
0004769845.tif 000006